(57)【要約】  本発明は、移動通信技術の分野に関し、特に信号伝送方法及び装置に関する。信号伝送方法では、ユーザ装置は、サウンディング参照信号に対してプリコーディングを実行し、それにより、無線空間内でのプリコーディングされたサウンディング参照信号のビームは、基地局にできるだけ正確に向けられることができ、それにより、基地局がサウンディング参照信号を正確に受信することがより容易になる。
2019513327.tif 000002
【特許請求の範囲】
【請求項１】
信号伝送方法であって、
ユーザ装置により、サウンディング参照信号のプリコーディング情報を決定するステップと、
前記ユーザ装置により、プリコーディングされた信号を生成するために、前記プリコーディング情報に基づいて前記サウンディング参照信号に対してプリコーディングを実行するステップと、
前記ユーザ装置により、前記プリコーディングされた信号を前記ユーザ装置にサービス提供する基地局に送信するステップと
を含む方法。
【請求項２】
前記ユーザ装置により、サウンディング参照信号のプリコーディング情報を決定するステップは、
前記ユーザ装置により、前記基地局により送信された第１の情報を受信するステップであり、前記第１の情報は、前記ユーザ装置により前記プリコーディング情報を決定するために使用される、ステップと、
前記ユーザ装置により、前記第１の情報に基づいて前記プリコーディング情報を決定するステップと
を含む、請求項１に記載の方法。
【請求項３】
前記第１の情報は、前記プリコーディング情報、上りリンクチャネル情報、又は前記ユーザ装置が前記サウンディング参照信号の前記プリコーディング情報を決定するのをトリガーするための情報である、請求項２に記載の方法。
【請求項４】
前記ユーザ装置により、前記基地局により送信された第１の情報を受信する前に、前記方法は、
前記ユーザ装置により、下りリンクチャネル品質情報を前記基地局に送信するステップであり、前記下りリンクチャネル品質情報は、前記基地局により前記ユーザ装置が前記サウンディング参照信号に対してプリコーディングを実行すると決定するために使用される、ステップを更に含む、請求項２又は３に記載の方法。
【請求項５】
前記ユーザ装置が前記プリコーディング情報を決定する前に、前記ユーザ装置により、前記下りリンクチャネル品質情報に基づいて、プリコーディングが前記サウンディング参照信号に対して実行される必要があると決定するステップを更に含む、請求項１乃至４のうちいずれか１項に記載の方法。
【請求項６】
前記ユーザ装置により、前記プリコーディングされた信号の送信時間を決定するステップを更に含む、請求項１乃至５のうちいずれか１項に記載の方法。
【請求項７】
前記ユーザ装置により、前記サウンディング参照信号の送信時間を決定するステップは、前記ユーザ装置により、前記基地局により送信された第２の情報を受信するステップであり、前記第２の情報は、前記プリコーディングされた信号の前記送信時間を示す、ステップを含む、請求項６に記載の方法。
【請求項８】
前記ユーザ装置により、前記プリコーディングされた信号の前記送信時間を前記基地局に通知するステップを更に含む、請求項６に記載の方法。
【請求項９】
前記ユーザ装置により、前記プリコーディングされた信号の前記送信時間以外の時間に、前記サウンディング参照信号を前記基地局に送信するステップであり、前記サウンディング参照信号は、前記基地局により前記上りリンクチャネル情報を決定するために使用される、ステップを更に含む、請求項３に記載の方法。
【請求項１０】
信号伝送方法であって、
基地局により、第１の情報を前記基地局によりサービス提供されるユーザ装置に送信するステップであり、前記第１の情報は、前記ユーザ装置によりサウンディング参照信号のプリコーディング情報を決定するために使用される、ステップと、
前記基地局により、前記ユーザ装置からプリコーディングされた信号を受信するステップであり、前記プリコーディングされた信号は、前記ユーザ装置により、前記プリコーディング情報に基づいて前記サウンディング参照信号に対してプリコーディングを実行することにより生成される、ステップと
を含む方法。
【請求項１１】
前記第１の情報は、前記プリコーディング情報、上りリンクチャネル情報、又は前記ユーザ装置が前記サウンディング参照信号の前記プリコーディング情報を決定するのをトリガーするための情報である、請求項１０に記載の方法。
【請求項１２】
前記基地局により、第２の情報を前記ユーザ装置に送信するステップであり、前記第２の情報は、前記プリコーディングされた信号の送信時間を示す、ステップを更に含む、請求項１０又は１１に記載の方法。
【請求項１３】
前記基地局により、前記ユーザ装置から通知を受信するステップであり、前記通知は、前記プリコーディングされた信号の前記送信時間を示す、ステップを更に含む、請求項１０又は１１に記載の方法。
【請求項１４】
前記基地局により、前記プリコーディングされた信号の前記送信時間以外の時間に、前記ユーザ装置から前記サウンディング参照信号を受信するステップと、
前記基地局により、前記サウンディング参照信号に基づいて前記上りリンクチャネル情報を決定するステップと
を更に含む、請求項１１に記載の方法。
【請求項１５】
前記基地局が前記第１の情報を前記ユーザ装置に送信する前に、前記方法は、
前記基地局により、前記ユーザ装置により送信された下りリンクチャネル品質情報を受信し、前記下りリンクチャネル品質情報に基づいて、前記ユーザ装置が前記サウンディング参照情報に対してプリコーディングを実行すると決定するステップを更に含む、請求項１０乃至１４のうちいずれか１項に記載の方法。
【請求項１６】
プロセッサと、送信機とを含むユーザ装置であって、
前記プロセッサは、サウンディング参照信号のプリコーディング情報を決定し、プリコーディングされた信号を生成するために、前記プリコーディング情報に基づいて前記サウンディング参照信号に対してプリコーディングを実行するように構成され、
前記送信機は、前記プリコーディングされた信号を前記ユーザ装置にサービス提供する基地局に送信するように構成される、ユーザ装置。
【請求項１７】
前記基地局により送信された第１の情報を受信するように構成された受信機であり、前記第１の情報は、前記プロセッサにより前記プリコーディング情報を決定するために使用される、受信機を更に含む、請求項１６に記載のユーザ装置。
【請求項１８】
前記第１の情報は、前記プリコーディング情報、上りリンクチャネル情報、又は前記ユーザ装置が前記サウンディング参照信号の前記プリコーディング情報を決定するのをトリガーするための情報である、請求項１７に記載のユーザ装置。
【請求項１９】
前記送信機は、前記受信機が前記基地局により送信された前記第１の情報を受信する前に、下りリンクチャネル品質情報を前記基地局に送信するように更に構成され、前記下りリンクチャネル品質情報は、前記基地局により前記ユーザ装置が前記サウンディング参照信号に対してプリコーディングを実行すると決定するために使用される、請求項１６又１７に記載のユーザ装置。
【請求項２０】
前記プロセッサは、前記プリコーディング情報を決定する前に、前記下りリンクチャネル品質情報に基づいて、プリコーディングが前記サウンディング参照信号に対して実行される必要があると決定するように更に構成される、請求項１６乃至１９のうちいずれか１項に記載のユーザ装置。
【請求項２１】
前記プロセッサは、前記プリコーディングされた信号の送信時間を決定するように更に構成される、請求項１６乃至２０のうちいずれか１項に記載のユーザ装置。
【請求項２２】
前記プロセッサが前記プリコーディングされた信号の送信時間を決定するように構成されることは、
前記プロセッサが、前記基地局から前記ユーザ装置により受信された第２の情報に基づいて、前記プリコーディングされた信号の前記送信時間を決定するように構成され、前記第２の情報は、前記プリコーディングされた信号の前記送信時間を示す、請求項２１に記載のユーザ装置。
【請求項２３】
前記送信機は、前記プリコーディングされた信号の前記送信時間を前記基地局に通知するように更に構成される、請求項２１に記載のユーザ装置。
【請求項２４】
前記送信機は、前記プリコーディングされた信号の前記送信時間以外の時間に、前記サウンディング参照信号を前記基地局に送信するように更に構成され、前記サウンディング参照信号は、前記基地局により前記上りリンクチャネル情報を決定するために使用される、請求項１８に記載のユーザ装置。
【請求項２５】
送信機と、受信機とを含む基地局であって、
前記送信機は、第１の情報を前記基地局によりサービス提供されるユーザ装置に送信するように構成され、前記第１の情報は、前記ユーザ装置によりサウンディング参照信号のプリコーディング情報を決定するために使用され、
前記受信機は、前記ユーザ装置からプリコーディングされた信号を受信するように構成され、前記プリコーディングされた信号は、前記ユーザ装置により、前記プリコーディング情報に基づいて前記サウンディング参照信号に対してプリコーディングを実行することにより生成される、基地局。
【請求項２６】
前記第１の情報は、前記プリコーディング情報、上りリンクチャネル情報、又は前記ユーザ装置が前記サウンディング参照信号の前記プリコーディング情報を決定するのをトリガーするための情報である、請求項２５に記載の基地局。
【請求項２７】
前記送信機は、第２の情報を前記ユーザ装置に送信するように更に構成され、前記第２の情報は、前記プリコーディングされた信号の送信時間を示す、請求項２５又は２６に記載の基地局。
【請求項２８】
前記受信機は、前記ユーザ装置から通知を受信するように構成され、前記通知は、前記プリコーディングされた信号の前記送信時間を示す、請求項２５又は２６に記載の基地局。
【請求項２９】
前記受信機は、前記プリコーディングされた信号の前記送信時間以外の時間に、前記ユーザ装置から前記サウンディング参照信号を受信するように更に構成され、前記サウンディング参照信号は、前記基地局により前記上りリンクチャネル情報を決定するために使用される、請求項２６に記載の基地局。
【請求項３０】
前記受信機は、前記送信機が前記第１の情報を前記ユーザ装置に送信する前に、前記ユーザ装置により送信された下りリンクチャネル品質情報を受信するように更に構成され、前記下りリンクチャネル品質情報は、前記ユーザ装置が前記サウンディング参照情報に対してプリコーディングを実行すると決定するために使用される、請求項２５乃至２９のうちいずれか１項に記載の基地局。
【発明の詳細な説明】
【技術分野】
【０００１】
本発明は、移動通信技術の分野に関し、特に信号伝送方法及び装置に関する。
【背景技術】
【０００２】
ロングタームエボリューション（long  term  evolution,  LTE）システムでは、基地局からユーザ装置（user  equipment,  UE）へのリンクは下りリンクチャネルであり、スペクトル効率及びシステム容量を改善するために、直交周波数分割多元接続（orthogonal  frequency  division  multi  access,  OFDMA）技術が使用される。ユーザ装置から基地局へのリンクは上りリンクチャネルであり、LTEシステムではシングルキャリア周波数分割多元接続（single-carrier  frequency  division  multiple  access,  SC-FDMA）技術が使用され、それにより、ピーク対平均電力比（peak  average  proportion  rate,  PAPR）が比較的小さく、ユーザ装置の実現における障害を低減する。
【０００３】
現在、基地局は、ユーザ装置から受信したサウンディング参照信号（sounding  reference  signal,  SRS）に基づいて、異なる時間周波数リソースにおける上りリンクチャネルの上りリンクチャネル品質を評価してもよく、それにより、基地局は、上りリンクサービスデータを伝送するために良好な上りリンクチャネル品質を有する時間周波数リソースをユーザ装置に割り当ててもよい。さらに、基地局は、サウンディング参照信号に基づいて、上りリンクタイミングアドバンス（timing  advance,  TA）を推定してもよく、それにより、ユーザ装置は基地局との上りリンク同期を保持する。LTEの時分割双方向（time  division  duplex,  TDD）モードでは、基地局は、サウンディング参照信号を使用することにより、下りリンクチャネル品質を更に決定してもよい。
【０００４】
しかし、LTEシステムがLTEアドバンスト（LTE  Advanced）システムへ、更には第５世代移動通信システムへ進化すると、ユーザ装置と基地局との間の通信周波数はより高くなり、無線電磁波の波効果が弱められる。その結果、ユーザ装置により送信されたサウンディング参照信号のカバレッジが低減され、基地局は、ユーザ装置により送信されたサウンディング参照信号を容易に受信できない。
【発明の概要】
【０００５】
本発明の実施例は、通信周波数がより高くなると、ユーザ装置により送信されたサウンディング参照信号が基地局により容易に受信できないという問題を解決するための信号伝送方法及び装置を提供する。
【０００６】
本発明の実施例の第１の態様は信号伝送方法を提供する。信号伝送方法は、ユーザ装置により、サウンディング参照信号のプリコーディング情報を決定するステップと、プリコーディングされた信号を生成するために、プリコーディング情報に基づいてサウンディング参照信号に対してプリコーディングを実行するステップと、プリコーディングされた信号をユーザ装置にサービス提供する基地局に送信するステップとを含む。
【０００７】
第１の態様を参照して、第１の態様の第１の可能な実現方式では、ユーザ装置により、サウンディング参照信号のプリコーディング情報を決定するステップは、ユーザ装置により、基地局により送信された第１の情報を受信するステップであり、第１の情報は、ユーザ装置によりプリコーディング情報を決定するために使用される、ステップと、ユーザ装置により、第１の情報に基づいてプリコーディング情報を決定するステップとを含む。
【０００８】
第１の態様の第１の可能な実現方式を参照して、第１の態様の第２の可能な実現方式では、第１の情報は、プリコーディング情報、上りリンクチャネル情報、又はユーザ装置がサウンディング参照信号のプリコーディング情報を決定するのをトリガーするための情報である。
【０００９】
第１の態様の第１の可能な実現方式又は第２の可能な実現方式を参照して、第１の態様の第３の可能な実現方式では、ユーザ装置により、基地局により送信された第１の情報を受信する前に、方法は、ユーザ装置により、下りリンクチャネル品質情報を基地局に送信するステップであり、下りリンクチャネル品質情報は、基地局によりユーザ装置がサウンディング参照信号に対してプリコーディングを実行すると決定するために使用される、ステップを更に含む。
【００１０】
第１の態様から第１の態様の第３の可能な実現方式のうちいずれか１つを参照して、第１の態様の第４の可能な実現方式では、方法は、ユーザ装置がプリコーディング情報を決定する前に、ユーザ装置により、下りリンクチャネル品質情報に基づいて、プリコーディングがサウンディング参照信号に対して実行される必要があると決定するステップを更に含む。
【００１１】
第１の態様から第１の態様の第４の可能な実現方式のうちいずれか１つを参照して、第１の態様の第５の可能な実現方式では、方法は、ユーザ装置により、プリコーディングされた信号の送信時間を決定するステップを更に含む。
【００１２】
第１の態様の第５の可能な実現方式を参照して、第１の態様の第６の可能な実現方式では、ユーザ装置により、サウンディング参照信号の送信時間を決定するステップは、ユーザ装置により、基地局により送信された第２の情報を受信するステップであり、第２の情報は、プリコーディングされた信号の送信時間を示す、ステップを含む。
【００１３】
第１の態様の第５の可能な実現方式を参照して、第１の態様の第７の可能な実現方式では、信号伝送方法は、ユーザ装置により、プリコーディングされた信号の送信時間を基地局に通知するステップを更に含む。
【００１４】
第１の態様の第２の可能な実現方式を参照して、第１の態様の第８の可能な実現方式では、信号伝送方法は、ユーザ装置により、プリコーディングされた信号の送信時間以外の時間に、サウンディング参照信号を基地局に送信するステップであり、サウンディング参照信号は、基地局により上りリンクチャネル情報を決定するために使用される、ステップを更に含む。
【００１５】
本発明の実施例の第２の態様はユーザ装置を提供する。ユーザ装置は、プロセッサと、送信機と、受信機とを含む。送信機は、本発明の実施例の第１の態様から第１の態様の第８の可能な実現方式のうちいずれか１つに従って、ユーザ装置により実行される送信ステップを実行するように構成される。受信機は、本発明の実施例の第１の態様から第１の態様の第８の可能な実現方式のうちいずれか１つに従って、ユーザ装置により実行される受信ステップを実行するように構成される。プロセッサは、本発明の実施例の第１の態様から第１の態様の第８の可能な実現方式のうちいずれか１つに従って、ユーザ装置により実行される決定ステップ及び生成ステップを実行するように構成される。
【００１６】
本発明の実施例の第３の態様は、信号伝送方法を提供する。信号伝送方法は、基地局により、第１の情報を基地局によりサービス提供されるユーザ装置に送信するステップであり、第１の情報は、ユーザ装置によりサウンディング参照信号のプリコーディング情報を決定するために使用される、ステップと、基地局により、ユーザ装置からプリコーディングされた信号を受信するステップであり、プリコーディングされた信号は、ユーザ装置により、プリコーディング情報に基づいてサウンディング参照信号に対してプリコーディングを実行することにより生成される、ステップとを含む。
【００１７】
第３の態様を参照して、第３の態様の第１の可能な実現方式では、第１の情報は、プリコーディング情報、上りリンクチャネル情報、又はユーザ装置がサウンディング参照信号のプリコーディング情報を決定するのをトリガーするための情報である。
【００１８】
第３の態様又は第３の態様の第１の可能な実現方式を参照して、第３の態様の第２の可能な実現方式では、方法は、基地局により、第２の情報をユーザ装置に送信するステップであり、第２の情報は、プリコーディングされた信号の送信時間を示す、ステップを更に含む。
【００１９】
第３の態様又は第３の態様の第１の可能な実現方式を参照して、第３の態様の第３の可能な実現方式では、方法は、基地局により、ユーザ装置から通知を受信するステップであり、通知は、プリコーディングされた信号の送信時間を示す、ステップを更に含む。
【００２０】
第３の態様の第１の可能な実現方式を参照して、第３の態様の第４の可能な実現方式では、方法は、基地局により、プリコーディングされた信号の送信時間以外の時間に、ユーザ装置からサウンディング参照信号を受信するステップと、基地局により、サウンディング参照信号に基づいて上りリンクチャネル情報を決定するステップとを更に含む。
【００２１】
第３の態様から第３の態様の第４の可能な実現方式のうちいずれか１つを参照して、第３の態様の第５の可能な実現方式では、基地局が第１の情報をユーザ装置に送信する前に、方法は、基地局により、ユーザ装置により送信された下りリンクチャネル品質情報を受信し、下りリンクチャネル品質情報に基づいて、ユーザ装置がサウンディング参照情報に対してプリコーディングを実行すると決定するステップを更に含む。
【００２２】
本発明の実施例の第４の態様は、送信機と受信機とを含む基地局を提供する。送信機は、本発明の実施例の第３の態様から第３の態様の第５の可能な実現方式のうちいずれか１つに従って、基地局により実行される送信ステップを実行するように構成される。受信機は、本発明の実施例の第３の態様から第３の態様の第５の可能な実現方式のうちいずれか１つに従って、基地局により実行される受信ステップを実行するように構成される。
【００２３】
本発明の実施例において提供される技術的解決策によれば、ユーザ装置により送信されたサウンディング参照信号に対してプリコーディングを実行することにより、無線空間内でのサウンディング参照信号のビームが基地局にできるだけ正確に向けられることができ、それにより、基地局がサウンディング参照信号を正確に受信することがより容易になる。
【図面の簡単な説明】
【００２４】
【図１】本発明の実施例の一態様によるシステムの概略アーキテクチャ図である。
【図２】本発明の実施例の一態様による信号伝送方法の概略フローチャートである。
【図３Ａ】本発明の実施例の一態様によるプリコーディングされた信号の送信プロセスの概略図である。
【図３Ｂ】本発明の実施例の一態様によるプリコーディングされた信号の受信プロセスの概略図である。
【図４】本発明の実施例の一態様による信号伝送方法のシステム相互作用の概略図である。
【図５】本発明の実施例の他の態様による信号伝送方法の概略フローチャートである。
【図６】本発明の実施例の他の態様による信号伝送方法の概略フローチャートである。
【図７】本発明の実施例の他の態様による信号伝送方法の概略フローチャートである。
【図８】本発明の実施例の一態様によるユーザ装置の概略構成図である。
【図９】本発明の実施例の一態様による基地局の概略構成図である。
【発明を実施するための形態】
【００２５】
図１は、第３世代パートナーシッププロジェクト（the  3rd  Generation  Partnership  Project,  3GPP）仕様により定義されたLTEシステムのアーキテクチャの概略図である。
【００２６】
LTEシステムのネットワークアーキテクチャは、複数のネットワークエレメントを含む。ネットワークエレメントは、進化型ユニバーサル地上無線アクセスネットワーク（evolved  universal  terrestrial  radio  access  network,  E-UTRAN）と、進化型パケット交換コア（evolved  packet  core,  EPC）ネットワークとを含む。E-UTRANは、少なくとも１つの基地局、例えば、進化型ノードB（evolved  nodeB,  eNB）を含む。少なくとも１つの基地局は、UEのためのネットワークアクセスサービスを提供し、X2インタフェース接続が確立された後に、X2インタフェースを通じて相互通信を実行してもよい。EPCネットワークのネットワークエレメントは、モビリティ管理エンティティ（mobility  management  entity,  MME）、サービングゲートウェイ（serving  gateway,  S-GW）、パケットデータゲートウェイ（packet  data  network  gateway,  P-GW）、ホーム加入者サーバ（home  subscriber  server,  HSS）等を含む。E-UTRANと、EPCネットワークと、これらのエレメントによりサービス提供されるUEとを含むシステムは、併せて進化型パケットシステム（evolved  packet  system,  EPS）と呼ばれてもよい。
【００２７】
MMEは、UEとEPCネットワークとの間のシグナリング相互作用を処理する制御ノードである。MMEの主な機能は、非アクセス層（Non-Access  Stratum,  NAS）シグナリング確立、NASシグナリングセキュリティ、コアネットワーク間シグナリング確立、トレース（trace）サービス、ローミングサービス、許可及びベアラ管理等を含む。
【００２８】
HSSは、ホームロケーションレジスタ（home  location  register,  HLR）を含む。HLRは、UEのアカウント情報、例えば、EPSのサービス品質（quality  of  service,  QoS）設定情報及びユーザローミングのアクセス制限を含む。
【００２９】
S-GWは、UEからEPCネットワークの間のユーザプレーンベアラを処理する制御ノードである。S-GWは、eNBハンドオーバ中のゲートウェイであり、2G／3G及び他のシステムサービスを転送するためのゲートウェイであり、下りリンクパケットのバッファリング、初期化、指定のインターセプト、パケットルーティング及び転送等を実現する。
【００３０】
P-GWは、UEのインターネットプロトコル（internet  protocol,  IP）アドレスの割り当て、QoS確保及びサービストラヒックに基づく課金の役目をする。
【００３１】
UEのサービスデータは、S-GWを通じてP-GWに伝送され、次に、P-GWから、様々なサービスの公衆データネットワーク（Public  Data  Network,  PDN）のような様々なアクセスポイント名（Access  Point  Name,  APN）ノードに伝送され、APNノードを使用することによりインターネットに接続される。
【００３２】
ネットワークエレメントの間のインタフェースが図１に示され得る。インタフェースの定義については、3GPP標準を参照する。
【００３３】
UEと基地局との間の様々な情報は、3GPP標準に指定されたプロトコルレイヤに基づいて伝送される。プロトコルレイヤは、物理レイヤ、媒体アクセス制御（media  access  control,  MAC）レイヤ、無線リソース制御（radio  resource  control,  RRC）レイヤ等を主に含む。いずれかのレイヤにおいて伝送される情報は、無線空間内で伝送されるために最終的に物理レイヤにマッピングされる。物理レイヤにおける伝送を実現するために、無線フレームは時間ドメイン内で定義され、サブキャリアは周波数ドメイン内で定義される。１つの無線フレームは10msの長さを有し、1msの10個のサブフレームを含む。１つのサブフレームはいくつかのOFDMシンボルを含む。１つのサブキャリアは15kHzであり、異なるシステム帯域幅は、異なる数のサブキャリアを設定することにより実現できる。上りリンクチャネルでは、物理レイヤは、物理上りリンク共有チャネル（physical  uplink  shared  channel,  PUSCH）、物理上りリンク制御チャネル（physical  uplink  control  channel,  PUCCH）、物理ランダムアクセスチャネル（physical  random  access  channel,  PRACH）等を含む。下りリンクチャネルでは、物理レイヤは、物理下りリンク共有チャネル（physical  downlink  shared  channel,  PDSCH）、物理下りリンク制御チャネル（physical  downlink  control  channel,  PDCCH）、物理ブロードキャストチャネル（physical  broadcast  channel,  PBCH）、物理マルチキャストチャネル（physical  multicast  channel,  PMCH）、物理制御フォーマットインジケータチャネル（physical  control  format  indicator  channel,  PCFICH）、（physical  HARQ  indicator  channel,  PHICH）等に分割される。
【００３４】
LTEシステムの前述のネットワークアーキテクチャでは、UEから基地局への上りリンクチャネルにおいて、UEは、時分割多重（time  division  multiplexing,  TDM）方式でSC-FDMA技術を使用することにより、SRS及び上りリンクサービスデータを基地局に送信する。基地局は、UEから受信したSRSに基づいて、異なる時間周波数リソースにおける上りリンクチャネルの上りリンクチャネル品質を評価し、上りリンクサービスデータを伝送するために良好な上りリンクチャネル品質を有する時間周波数リソースをUEに更に割り当ててもよい。UEが比較的高い周波数でSRSを送信するとき、電磁波の波理論に基づいて、電磁波の回折能力が低減される。その結果、UEにより送信されたSRSのカバレッジが低減され、基地局はUEからSRSを容易に受信できない。
【００３５】
前述の問題を鑑みて、図２は、信号伝送方法の概略フローチャートであり、信号伝送方法は、本発明の実施例の一態様に従って提供される。方法は以下の内容を含む。
【００３６】
210:UEは、SRSのプリコーディング情報を決定する。
【００３７】
220:UEは、プリコーディングされた信号を生成するために、プリコーディング情報に基づいてSRSに対してプリコーディングを実行する。
【００３８】
230:UEは、プリコーディングされた信号をUEにサービス提供する基地局に送信する。
【００３９】
240:基地局は、UEからプリコーディングされた信号を受信する。
【００４０】
本発明の実施例において使用されるSRSという用語は、プリコーディングが実行される前のSRSを示し、プリコーディングが実行された後のSRSは、プリコーディングされた信号と呼ばれる。プリコーディング情報は、基本的に、信号に対してチャネルに一致する振幅調整及び位相調整を実行し、それにより、チャネルにおいて伝送される信号のビームがいくつかの伝送方向では比較的強く、他の伝送方向では比較的弱くなることと考えられてもよい。本発明の実施例におけるSRSのプリコーディング情報は、プリコーディングされた信号を生成するために使用される。信号振幅調整及び信号位相調整がプリコーディングされた信号に対して実行されているため、プリコーディングされた信号は、UEと基地局との間の上りリンクチャネルにおいてできるだけ最善のチャネル伝送品質を取得できる。最善のチャネル伝送品質の定義は、異なる通信システムで変化してもよい。ここでの最善のチャネル伝送品質は、上りリンク伝送がプリコーディングされた信号に対して実行された後に、エネルギー損失、信号対雑音比、信号電力又はエラー比率が通信システムにより設定された要件を満たすことでもよい。UEにとって、プリコーディング情報を使用することにより振幅調整及び位相調整を実行することにより、無線空間内での伝送中のSRSのビームが基地局にできるだけ正確に向けられることができ、それにより、基地局がSRSを正確に受信することがより容易になる。基地局の観点から、基地局がSRSを正確に受信するのがより容易になるため、基地局がSRSを回復するのを試みるときの基地局の内部処理における障害が低減できる。例えば、基地局内のプロセッサの処理速度、処理アルゴリズム等に対する要件が低下する。
【００４１】
210において、SRSのプリコーディング情報は、基地局により決定されてUEに送信されてもよく、或いはUEにより決定されてもよい。
【００４２】
実現方式では、210において、UEがSRSのプリコーディング情報を決定することは、UEにより、基地局により送信された第１の情報を受信し、第１の情報は、UEによりプリコーディング情報を決定するために使用され、UEにより、第１の情報に基づいてプリコーディング情報を決定することを含んでもよい。
【００４３】
第１の情報は、SRSのプリコーディング情報でもよい。この場合、基地局は、SRSのプリコーディング情報を決定し、プリコーディング情報をユーザ装置に送信する。SRSのプリコーディング情報がユーザ装置により受信されたときに、SRSのプリコーディング情報は、ユーザ装置により決定される。
【００４４】
代替として、第１の情報は、上りリンクチャネル情報でもよい。この場合、上りリンクチャネル情報は、基地局により決定されてユーザ装置に送信されてもよい。ユーザ装置は、受信した上りリンクチャネル情報に基づいてSRSのプリコーディング情報を決定する。上りリンクチャネル情報は、基地局が上りリンクチャネルを測定した後の測定結果でもよく、或いは測定結果に基づいて基地局により決定された上りリンクチャネル品質でもよい。上りリンクチャネル品質は、チャネル品質インジケータ（channel  quality  indicator,  CQI）を使用することにより表されてもよい。時分割双方向（Time  division  duplex,  TDD）システムでは、上りリンクチャネルと下りリンクチャネルとの間に相互関係（reciprocity）が存在する。基地局は、UEにより報告された下りリンクチャネルの品質に基づいて上りリンクチャネルの品質を決定してもよく、或いはUEにより送信された上りリンク信号を直接測定してもよい。上りリンク信号は、SRS、復調参照信号（demodulation  reference  signal,  DMRS）又は上りリンクサービスデータでもよい。上りリンクチャネル情報は、上りリンクチャネルのチャネル伝送行列を決定するために使用されてもよい。チャネル伝送行列は、チャネルの固有の特性を表す物理量である。このようなチャネルの固有の特性は、チャネルにおいて伝送される信号を変形し、例えば、伝送される信号の増幅又は減衰、ドップラー周波数シフト、位相回転、マルチパス遅延のような効果を生じてもよい。
【００４５】
例えば、ユーザ装置がSRSに対してプリコーディングを実行する前に、基地局は、ユーザ装置により送信されたSRSを受信し、SRSに基づいて上りリンクチャネルを測定してもよい。基地局は、プリコーディングがSRSに対して実行される前にUEにより送信されたSRSを正確に受信できなくてもよい。この問題を解決するために、UEは、閾値より高い送信電力でSRS信号（すなわち、プリコーディングが実行される前のSRS）を送信してもよく、或いは予め設定された時間長内で、基地局は、（正確に受信されていても受信されていなくても）複数の受信したSRS信号をパラメータサンプルとして使用し、パラメータ推定アルゴリズムを使用することにより取得されたSRSを、正確に受信したSRSとして使用し、このSRSを使用することにより、上りリンクチャネルの測定結果を決定し、それにより、上りリンクチャネル情報を決定する。一般的に使用されるパラメータ推定アルゴリズムは、最尤推定（maximum  likelihood  estimation,  MLE）、最小二乗推定（least  square  estimation,  LSE）、モーメント推定（moment  estimation,  ME）等を含む。基地局によりSRSを受信する効率を改善するために、SRSの送信時間及びプリコーディングされた信号（プリコーディングが実行された後のSRS）の送信時間は、基地局とUEとの間で協調されてもよい点に留意すべきである。例えば、UEは、SRSの送信時間を決定し、送信時間を基地局に通知する。代替として、基地局は、SRSの送信時間を決定し、送信時間をUEに通知する。したがって、本発明の実施例において提供される信号伝送方法は、UEにより、プリコーディングされた信号の送信時間を決定し、プリコーディングされた信号の送信時間を基地局に通知することを更に含んでもよい。代替として、プリコーディングされた信号の送信時間は基地局により決定されてもよく、その場合、第２の情報は、基地局によりUEに送信され、第２の情報は、プリコーディングされた信号の送信時間を示す。プリコーディングされた信号の送信時間は周期的又は非周期的でもよく、基地局により設定されてもよく或いはUEにより決定されてもよい点に留意すべきである。対応して、UEは、プリコーディングされた信号の送信時間以外のいずれかの時間に、SRSを基地局に送信してもよい。LTEシステムでは、UEにより送信されるSRSは、サブフレームの最後のOFDMシンボルに位置してもよい。サービスデータを運ぶための物理上りリンク共有チャネル（physical  uplink  shared  channel,  PUSCH）又は制御シグナリングを運ぶための物理上りリンク制御チャネル（physical  uplink  control  channel,  PUCCH）は、サブフレームにおいて更に伝送され、サブフレーム内のPUSCH及びPUCCHの位置のいずれもSRSの位置と重複しない。
【００４６】
代替として、第１の情報は、UEがSRSのプリコーディング情報を決定するのをトリガーするための情報でもよい。例えば、第１の情報は、前述のプリコーディング情報又は上りリンクチャネル情報である。代替として、第１の情報は識別子でもよい。UEにより受信された後に、識別子は、UEがSRSのプリコーディング情報を決定するのをトリガーする。
【００４７】
基地局は、第１の情報を物理下りリンク制御チャネル（又は拡張物理下りリンク制御チャネル）の下りリンク制御情報（downlink  control  information,  DCI）に追加してもよい点に留意すべきである。基地局にアクセスする前に、UEは、ブラインド検出を実行することにより、下りリンク制御情報を取得する。ブラインド検出の詳細及び下りリンク制御情報の伝送フォーマットの詳細については、従来技術を参照する。UEが基地局に既にアクセスしている場合、基地局は、第１の情報を下りリンク制御情報に追加してもよく、或いは確立された無線リソース制御（radio  resource  control,  RRC）接続におけるRRCメッセージを使用することにより第１の情報をUEに送信してもよく、或いは第１の情報を媒体アクセス制御（medium  access  control,  MAC）レイヤの制御エレメント（control  element,  CE）に追加してもよい。
【００４８】
他の実現方式では、210において、UEがSRSのプリコーディング情報を決定することは、UEがSRSを基地局に送信した後に、基地局がSRSに基づいて、UEにより上りリンクサービスデータを伝送するために使用される時間周波数リソースを決定できないこと、又はUEにより上りリンクサービスデータを伝送するために使用される時間周波数リソースについて、基地局が上りリンクサービスデータのQoSを確保できないことを含んでもよい。この場合、UEは、基地局が受信したSRSに基づいて上りリンクチャネル品質を決定できないと決定し、それにより、UEは、SRSのプリコーディング情報を決定し、SRSに対してプリコーディングを実行し、次に、プリコーディングされた信号を基地局に送信する。
【００４９】
プリコーディング情報を決定する方法は、コードブック空間設計に基づく方法と、非コードブック空間設計に基づく方法とを主に含む。プリコーディング情報は、行列の形式で表現されてもよい。対応して、プリコーディング情報は、プリコーディング行列、又はプリコーディング行列を識別するために使用されるプリコーディング行列インジケータ（pre-coding  matrix  indicator,  PMI）である。
【００５０】
コードブック空間設計に基づいてプリコーディング情報を決定する方法では、１つのコードブック空間は、少なくとも１つのプリコーディング行列を含む集合である。１つのチャネルは、少なくとも１つのプリコーディング行列に対応してもよい。このチャネルに対応する少なくとも１つのプリコーディング行列を使用することにより、チャネルにおいて伝送される信号に対してプリコーディングが実行されたときに、チャネルにおいて伝送される信号は、最善のチャネル伝送品質を取得してもよい。エンジニアリングプラクティス（engineering  practice）の間に、異なるチャネルは、異なるプリコーディング行列を取得するようにトラバースされてもよく、それにより、異なるチャネルに対応するコードブック空間を取得する。コードブック空間は、UE及び基地局が通信を実行する前に、UE及び基地局に予め記憶されてもよい。プリコーディング行列が基地局により決定される場合、基地局は、全体のプリコーディング行列をフィードバックする代わりに、決定されたプリコーディング行列インジケータ（Precode  Matrix  Indicator,  PMI）をUEに送信してもよい。プリコーディング行列がUEにより決定される場合、UEは、PMIを基地局に送信する。コードブック空間設計に基づいてプリコーディング情報を決定する方法では、マルチアンテナ技術が使用されるときに、異なるアンテナポートの間の干渉を更に低減するために、UE及び基地局は、ランクインジケータ（Rank  Indicator,  RI）及びアンテナポートを更に交換してもよい。RIは、上りリンクチャネル伝送行列の線形独立ベクトルグループの数を表す。
【００５１】
非コードブック空間設計に基づいてプリコーディング情報を決定する方法では、UEは、基地局から受信した上りリンクチャネルの測定結果に基づいてチャネル伝送行列を確立し、チャネル伝送行列に対して行列分解を実行してもよい。例えば、一般的に使用される処理方法は、チャネル伝送行列に対して特異値分解（singular  value  decomposition,  SVD）を実行した後に、取得されたユニタリ行列をプリコーディング行列として使用し、次に、プリコーディング行列を基地局に通知し、それにより、基地局が送信されたプリコーディング行列に基づいてUEによるプリコーディングされた信号を復号化することである。明らかに、代替として、基地局は、上りリンクチャネルの測定結果に基づいてチャネル伝送行列を確立し、行列分解を実行し、次に、分解されたプリコーディング行列をUEに通知してもよい。非コードブック空間設計に基づいてプリコーディング情報を決定する方法では、プリコーディング行列がコードブック空間から選択されず、UEと基地局との間の通信中に上りリンクチャネルのリアルタイム測定結果に基づいて決定されるため、上りリンクチャネルの取得された測定結果が、UE及び基地局においてコードブック空間を予め記憶することにより取得された測定結果に比べてより正確である。
【００５２】
プリコーディング情報を決定する前述の可能な実現方式は、周波数分割双方向（frequency  division  duplex,  FDD）モード又は時分割双方向（time  division  duplex,  TDD）モードを使用する無線通信システムに適用されてもよい。
【００５３】
さらに、特にTDDモードでは、上りリンクチャネル及び下りリンクチャネルが同じ通信周波数を使用するため、上りリンクチャネル及び下りリンクチャネルがほぼ同じであると考えられてもよい。したがって、プリコーディング情報を決定するプロセスにおいて、UEは、下りリンクチャネルの参照信号受信電力（reference  signal  received  power,  RSRP）、下りリンクチャネルのパスロス（pathloss）又はCQIが予め設定された条件を満たさないとき、SRSのプリコーディング情報を決定してもよい。UEがSRSのプリコーディング情報を決定するのをトリガーされた後に、UEは、基地局により下りリンクチャネルにおいて送信されたチャネル状態情報参照信号（channel  state  information  reference  signal,  CSI-RS)、セル特有参照信号（cell-specific  reference  signal,  CRS）又はユーザ装置特有参照信号（UE-specific  reference  signal）のような下りリンク参照信号に基づいて、SRSのプリコーディング情報を決定してもよい。UEは、UEに既知の下りリンク参照信号を使用することにより、基地局により送信され且つ下りリンクチャネルにおいて伝送された参照信号を復号化し、下りリンクチャネル情報を取得し、下りリンクチャネル伝送行列を決定してもよい。TDDモードでは、上りリンクチャネルが下りリンクチャネルとほぼ同じであるため、UEは、下りリンクチャネル伝送行列を上りリンクチャネル伝送行列として考えてもよく、それにより、下りリンクチャネル伝送行列に基づいてSRSのプリコーディング情報を決定する。任意選択で、TDDモードでは、代替として、基地局は、UEにより報告された下りリンクチャネル品質に基づいて上りリンクチャネルの品質を決定してもよく、或いはUEにより送信されたSRS、復調参照信号（demodulation  reference  signal,  DMRS）又は上りリンクサービスデータのような上りリンク信号を直接測定してもよい。同様に、TDDモードでは、基地局は、SRS又はプリコーディングされた信号（プリコーディングが実行された後のSRS）に基づいて下りリンク参照信号のプリコーディング情報を決定してもよく、それにより、下りリンクチャネル品質を決定する。
【００５４】
210において、代替として、SRSのプリコーディング情報は予め設定され、UE及び基地局に記憶されてもよい。この場合、基地局は、UEからプリコーディングされた信号を受信し、予め設定されたプリコーディング情報に従ってプリコーディングされた信号を処理してもよく、それにより、SRSを回復する。
【００５５】
210において、プリコーディングされた信号を送信する前に、UEは、PUSCHにおいて運ばれるサービスデータに対してプリコーディングを実行し、代替として、UEは、SRSのプリコーディング情報として最近１回以上サービスデータを運ぶためにPUSCHにより使用されるプリコーディング情報を使用してもよい。
【００５６】
実現方式では、220において、UEは、SRSのプリコーディング情報を決定し、それにより、プリコーディングを実行するために使用されるプリコーディング行列を取得する。プリコーディング行列及びSRSに対して乗算演算を実行することにより、UEは、プリコーディングがSRSに対して実行された後の信号、すなわち、前述のプリコーディングされた信号を取得してもよい。プリコーディングされた信号は、上りリンクチャネルにおいて伝送される。プリコーディングが実行されていないSRSと比べて、プリコーディングされた信号のビームはあまり干渉しないため、ビームは基地局にできるだけ正確に向けられる。したがって、基地局は、プリコーディングされた信号を正確に受信し、復号化を実行することによりSRSを取得してもよく、それにより、SRSに基づいて上りリンクチャネル品質を決定する。
【００５７】
実現方式では、230において、UEは、無線空間内でプリコーディングされた信号を基地局に送信する。プリコーディングされた信号の送信プロセスが図３Ａに示される。プロセスは、直列・並列変換プロセスと、リソースマッピングプロセスと、逆離散フーリエ変換プロセスと、サイクリックプレフィクス追加（cycle  prefix）プロセスと、並列・直列変換プロセスと、アンテナ伝送プロセスとを含む。
【００５８】
プリコーディングされた信号[S(0)...,S(i),...,S(L-1)]（S(i)はプリコーディングされた信号に含まれる系列要素であり、iの値は0からL-1の範囲の正の整数であり、Lはプリコーディングされた信号に含まれる系列要素の総数である）は、直列・並列変換プロセスを実行することにより、直列系列要素から並列系列要素に変換され、プリコーディングされた信号の並列系列要素は、サブキャリアマッピングプロセスを実行することにより、異なるサブキャリアにマッピングされ、逆フーリエ変換を実行することにより、並列系列要素の間に直交性が生成される。シンボルの間の干渉を回避するために、サイクリックプレフィクスを並列系列要素に追加するためのサイクリックプレフィクス追加プロセスが実行され、次に、並列系列要素を直列系列要素に変換するための並列・直列変換プロセスが実行され、直列系列要素がアンテナを使用することにより伝送される。
【００５９】
実現方式では、240において、基地局は、無線空間内で、UEにより送信されたプリコーディングされた信号を受信する。基地局によりプリコーディングされた信号を受信するプロセスが図３Ｂに示される。プロセスは、アンテナ受信プロセスと、直列・並列変換プロセスと、サイクリックプレフィクス除去プロセスと、フーリエ変換プロセスと、リソースデマッピングプロセスと、並列・直列変換プロセスとを含む。このプロセスと、UEによりプリコーディングされた信号を送信するプロセスとは、実質的に相互に逆の関係にあり、詳細はここでは再び説明しない。
【００６０】
230及び240における実現方式は、概して当業者が本発明の実施例を理解することを可能にする単に可能な実現方式である点に留意すべきである。しかし、230及び240における実現方式は一意ではない。他の可能な実現方式については、従来技術を参照する。
【００６１】
任意選択で、基地局は、プリコーディングされた信号を送信するために異なるプリコーディング行列を使用するように、異なる時間をトラバースするようにUEに対して更に命令してもよい。このように、基地局は、異なる時間に受信したプリコーディングされた信号の品質をUEにフィードバックしてもよく、UEは、次のプリコーディングされた信号を送信するために使用されるプリコーディング行列を調整してもよく、それにより、プリコーディングされた信号のより高い品質の伝送を実現する。
【００６２】
本発明の実施例は、キャリアアグリゲーション（carrier  aggregation,  CA）シナリオに適用されてもよい。簡単には、キャリアアグリゲーションは、UE及び基地局が少なくとも２つの周波数帯域を使用することにより通信を実行することを意味する。UEにサービス提供する１つの基地局が現在存在する場合、基地局及びUEが少なくとも２つの周波数帯域を使用することにより通信を実行することは、基地局内キャリアアグリゲーションと呼ばれてもよい。UEにサービス提供する少なくとも２つの基地局が現在存在する場合、これらの基地局とUEとの間の通信方式は、基地局間キャリアアグリゲーションと呼ばれてもよい。例えば、マクロ基地局（macro  base  station）及びスモールセル基地局（small-cell  base  station）のネットワーキングでは、マクロ基地局とUEとの間の周波数は、主に制御シグナリングを伝送するために使用され、スモールセル基地局とUEとの間の周波数は、主にサービスデータを伝送するために使用される。キャリアアグリゲーションを使用することにより、複数の周波数帯域が組み合わせられ、通信のためにUEにより使用されるシステム帯域幅を増加させることと等価であり、それにより、システムスループットを改善する。
【００６３】
結論として、本発明の実施例において提供される信号伝送方法の例が図４に示される。例は、基地局及びUEによりプリコーディング方法を決定するプロセスと、プリコーディング動作と、プリコーディングされた信号の伝送プロセスとを主に含み、上りリンクサービスデータの伝送プロセスを更に含む。
【００６４】
本発明の実施例において提供される技術的解決策によれば、UEは、SRSに対してプリコーディングを実行することによりプリコーディングされた信号を生成し、プリコーディングされた信号を基地局に送信する。このように、無線空間内でのプリコーディングされたSRSのビームは、基地局にできるだけ正確に向けられてもよく、それにより、基地局がSRSを正確に受信することがより容易になる。
【００６５】
本発明の実施例の他の態様は、図５から図７に示す信号伝送方法の複数の実現方式を提供する。これらの実現方式は、前述の方法の実施例の更なる詳細又は補足であり、UEと基地局との間の相互作用プロセスを強調している。他の同じ或いは同様のプロセスについては、詳細はここでは再び説明する見込みはない。
【００６６】
図５に示す実現方式では、基地局は、SRSのプリコーディング情報を直接決定し、PDCCHを使用することにより、プリコーディング情報をUEに通知する。図５に示す実現方式は以下の内容を含む。
【００６７】
501:基地局は、UEが送信されるSRSに対してプリコーディングを実行する必要があると決定し、SRSのプリコーディング情報を決定する。
【００６８】
502:基地局は、PDCCHをUEに送信し、PDCCHは、下りリンク制御情報を搬送し、下りリンク制御情報は、SRSのプリコーディング情報を含む。
【００６９】
503:UEは、受信した下りリンク制御情報からSRSのプリコーディング情報を取得し、SRSのプリコーディング情報に基づいてSRSに対してプリコーディングを実行し、次に、プリコーディングされた信号を基地局に送信する。
【００７０】
図６に示す実現方式では、基地局は、UEに対してSRSのプリコーディング情報を決定するように命令する。すなわち、基地局は、SRSのプリコーディング情報を直接決定しない。その代わりに、UEは、SRSのプリコーディング情報を決定し、次に、プリコーディング情報を基地局に通知する。図６に示す実現方式は以下の内容を含む。
【００７１】
601:基地局は、UEが送信されるSRSに対してプリコーディングを実行する必要があると決定し、UEに送信されるPDCCHの下りリンク制御情報において、UEに対してSRSのプリコーディング情報を決定するように命令する。基地局は、SRSのプリコーディングされた信号を直接決定しない。
【００７２】
602:UEは、下りリンク制御情報における命令に基づいてSRSのプリコーディング情報を決定し、SRSのプリコーディング情報を基地局に通知する。
【００７３】
603:UEは、SRSに対してプリコーディングを実行し、プリコーディングされた信号を基地局に送信する。
【００７４】
図７に示す実現方式では、基地局は、SRSが取得される必要があることをUEに通知し、UEは、SRSを送信する前に、SRSに対してプリコーディングを実行するか否かを決定し、プリコーディングが実行される必要があると決定した場合、UEにより送信される信号がプリコーディングされた信号であることを基地局に通知する。図７に示す実現方式は以下の内容を含む。
【００７５】
701:基地局は、PDCCHを使用することにより、基地局がSRSを取得する必要があることをUEに通知する。
【００７６】
702:UEは、SRSを送信する前に、SRSに対してプリコーディングを実行するか否かを決定する。
【００７７】
703A:プリコーディングがSRSに対して実行される必要がない場合、UEは、UEにより送信される信号がSRSであることを基地局に通知する。
【００７８】
703B:プリコーディングがSRSに対して実行される必要があると決定された場合、UEは、UEにより送信される信号がプリコーディングされた信号であることを基地局に通知する。
【００７９】
図５から図７に示す実現方式では、基地局は、プリコーディングされた信号の送信時間を決定した後に、送信時間をUEに更に通知してもよく、それにより、UEは、送信時間に基づいてプリコーディングされた信号を送信してもよい。代替として、UEは、プリコーディングされた信号の送信時間を決定した後に、送信時間を基地局に通知してもよく、それにより、基地局は、送信時間に基づいてプリコーディングされた信号を受信してもよい。上りリンクチャネルは時間と共に変化し得るため、対応するプリコーディング情報も変化し得る。したがって、それぞれの送信時間にUEにより送信されるプリコーディングされた信号は異なってもよい。
【００８０】
基地局は、予め設定された期間内にある複数のプリコーディング情報をUEに通知してもよく、予め設定された期間内に複数のプリコーディング情報をそれぞれ使用することによりSRSに対してプリコーディングを実行した後に、UEは、複数の生成されたプリコーディングされた信号を送信する。例えば、基地局は、各期間内に使用される複数のプリコーディング情報がPMI1、PMI2、...及びPMIn（nは任意の正の整数である）であることをUEに通知する。複数のプリコーディング情報に対応するプリコーディング行列に基づいてSRSに対してプリコーディングを実行した後に、UEは、各期間において複数の生成されたプリコーディングされた信号を送信する。
【００８１】
図５から図７に示す実現方式では、基地局は、SRSの送信時間を決定した後に、SRSの送信時間をUEに更に通知してもよい。SRSの送信時間は周期的でもよい。この場合、プリコーディングされた信号の送信時間は、SRSの送信時間と重複しない。例えば、プリコーディングされた信号の送信時間は、２つのSRSの周期的な送信時間の間にある。前述の方法の実施例に記載のように、基地局は、プリコーディングされた信号を生成するために、SRSに対して実行されたパラメータ推定に基づいてSRSのプリコーディング情報を決定してもよい。
【００８２】
図５から図７に示す実現方式がTDDモードに適用されるとき、SRSのプリコーディング情報は、下りリンク参照信号（例えば、CSI-RS）のプリコーディング情報として使用されてもよく、それにより、下りリンクチャネル品質を評価するために、プリコーディングは、下りリンク参照信号に対して実行されてもよい。
【００８３】
図５から図７に示す実現方式では、UEがSRSのプリコーディング情報を使用することによりSRSに対してプリコーディングを実行する前に、基地局は、UEによりSRSを生成するために使用される一定振幅ゼロ自己相関（constant  amplitude  zero  auto  correlation,  ZACAZ）系列のような数学系列を更に示してもよい。UEがSRSのプリコーディング情報を使用することによりSRSに対してプリコーディングを実行する前に、基地局は、UEに対して、周辺基地局によりサービス提供される他のUEにより使用されるデータ系列のものと同じ周波数を有するデータ系列を使用するように更に命令してもよい。代替として、基地局は、UEに対して、協調マルチポイント（coordinated  multi  point,  CoMP）における仮想セル識別情報を使用することによりSRSに対してスクランブリングを実行するように命令する。このように、基地局と周辺基地局との双方は、UEにより送信されたプリコーディングされた信号からSRSを取得でき、それにより、上りリンクチャネル品質を更に決定する。さらに、下りリンクチャネル品質は、TDDモードにおいて更に決定されてもよい。基地局及び周辺基地局は、X2インタフェースを使用することにより、基地局及び周辺基地局によりそれぞれ取得されたSRSを交換してもよく、それにより、下りリンク協調スケジューリング若しくは協調ビームフォーミング（coordinated  scheduling/beamforming,  CS/CB）又はジョイント伝送（joint  transmission,  JT）を実行する。CS/CBは、CoMPに参加する基地局（前述の基地局及び周辺基地局）がUEに対してリソーススケジューリング又はビームフォーミングを実行するために協調することを示す。具体的には、基地局及び周辺基地局は、リソーススケジューリング情報又はSRSのプリコーディング情報を交換する。PDCCH及びPDSCHは、基地局のサービングセルを使用することにより依然としてUEに送信される。JTは、UEがセルの端に位置するとき、基地局のサービングセル及び周辺基地局のセルが同じ時間周波数リソースにおいて同じサービスデータをUEに送信し、それにより、UEがセルの端に位置するときに信号が強められることを示す。
【００８４】
図５から図７に示す実現方式では、基地局とUEとの間でSRSのプリコーディング情報を決定することは詳細に記載されていない。詳細については、図１に示す実施例の201を参照する。
【００８５】
本発明の実施例の他の態様において提供される技術的解決策によれば、UEは、SRSに対してプリコーディングを実行することによりプリコーディングされた信号を生成し、プリコーディングされた信号を基地局に送信する。このように、無線空間内でのプリコーディングされたSRSのビームは、基地局にできるだけ正確に向けられてもよく、それにより、基地局がSRSを正確に受信することがより容易になる。
【００８６】
本発明の更に他の態様はユーザ装置80を提供する。図８に示すように、ユーザ装置80は、プロセッサ810と、送信機820とを含む。プロセッサ810は、サウンディング参照信号のプリコーディング情報を決定し、プリコーディングされた信号を生成するために、プリコーディング情報に基づいてサウンディング参照信号に対してプリコーディングを実行するように構成される。送信機820は、プリコーディングされた信号をユーザ装置にサービス提供する基地局に送信するように構成される。
【００８７】
第１の情報は、プリコーディング情報、上りリンクチャネル情報、又はユーザ装置がサウンディング参照信号のプリコーディング情報を決定するのをトリガーするための情報である。
【００８８】
任意選択で、ユーザ装置80は、基地局により送信された第１の情報を受信するように構成された受信機830を更に含み、第１の情報は、プロセッサによりプリコーディング情報を決定するために使用される。
【００８９】
任意選択で、送信機820は、受信機830が基地局により送信された第１の情報を受信する前に、下りリンクチャネル品質情報を基地局に送信するように更に構成され、下りリンク制御チャネル品質情報は、基地局によりユーザ装置がサウンディング参照信号に対してプリコーディングを実行すると決定するために使用される。
【００９０】
任意選択で、プロセッサ810は、プリコーディング情報を決定する前に、下りリンクチャネル品質情報に基づいて、プリコーディングがサウンディング参照信号に対して実行される必要があると決定するように更に構成される。
【００９１】
任意選択で、プロセッサ810は、プリコーディングされた信号の送信時間を決定するように更に構成される。
【００９２】
任意選択で、プロセッサ810がプリコーディングされた信号の送信時間を決定するように構成されることは、
プロセッサ810が、基地局からユーザ装置により受信された第２の情報に基づいて、プリコーディングされた信号の送信時間を決定するように構成され、第２の情報は、プリコーディングされた信号の送信時間を示すことを含む。
【００９３】
任意選択で、送信機820は、プリコーディングされた信号の送信時間を基地局に通知するように更に構成される。
【００９４】
任意選択で、送信機820は、プリコーディングされた信号の送信時間以外の時間に、サウンディング参照信号を基地局に送信するように更に構成され、サウンディング参照信号は、基地局により上りリンクチャネル情報を決定するために使用される。ユーザ装置80の受信機、プロセッサ及び送信機は、図２から図７に示す実現方式においてユーザ装置により実行される受信、決定及び送信ステップを実現してもよい点に留意すべきである。詳細については、前述の方法の実施例を参照し、同じ概念及びプロセスは再び説明しない。送信機内の対応するコンポーネントユニットは、図３Ａに示す論理手順に従ってユーザ装置80の送信機により実現されてもよく、それにより、前述のSRS及びプリコーディングされた信号のような様々な信号は、無線空間内で基地局に送信されてもよい。受信機内の対応するコンポーネントユニットは、図３Ｂに示す論理手順に従ってユーザ装置80の受信機により実現されてもよく、それにより、基地局により送信される第１の情報及び第２の情報のような様々な信号は、無線空間内で基地局から受信されてもよい。
【００９５】
本発明の実施例の更に他の態様は基地局90を提供する。図９に示すように、基地局90は、送信機910と、受信機920と、プロセッサ930とを含む。送信機910及び受信機920は、プロセッサ930を使用することにより結合される。送信機910は、第１の情報を基地局によりサービス提供されるユーザ装置に送信するように構成され、第１の情報は、ユーザ装置によりサウンディング参照信号のプリコーディング情報を決定するために使用される。受信機920は、ユーザ装置からプリコーディングされた信号を受信するように構成され、プリコーディングされた信号は、ユーザ装置により、プリコーディング情報に基づいてサウンディング参照信号に対してプリコーディングを実行することにより生成される。
【００９６】
第１の情報は、プリコーディング情報、上りリンクチャネル情報、又はユーザ装置がサウンディング参照信号のプリコーディング情報を決定するのをトリガーするための情報である。
【００９７】
任意選択で、送信機910は、第２の情報をユーザ装置に送信するように更に構成され、第２の情報は、プリコーディングされた信号の送信時間を示す。
【００９８】
任意選択で、受信機920は、ユーザ装置から通知を受信するように更に構成され、通知は、プリコーディングされた信号の送信時間を示す。
【００９９】
任意選択で、受信機920は、プリコーディングされた信号の送信時間以外の時間に、ユーザ装置からサウンディング参照信号を受信するように更に構成され、サウンディング参照信号は、基地局により上りリンクチャネル情報を決定するために使用される。
【０１００】
任意選択で、受信機920は、送信機が第１の情報をユーザ装置に送信する前に、ユーザ装置により送信された下りリンクチャネル品質情報を受信するように更に構成され、下りリンクチャネル品質情報は、ユーザ装置がサウンディング参照情報に対してプリコーディングを実行すると決定するために使用される。
【０１０１】
基地局90の受信機920、プロセッサ930及び送信機910は、図２から図７に示す実現方式において基地局により実行される受信、決定及び送信ステップを実現してもよい点に留意すべきである。詳細については、前述の方法の実施例を参照し、同じ概念及びプロセスは再び説明しない。送信機内の対応するコンポーネントユニットは、図３Ａに示す論理手順に従って基地局90の送信機により実現されてもよく、それにより、前述の第１の情報及び第２の情報のような様々な信号は、無線空間内でユーザ装置に送信されてもよい。受信機内の対応するコンポーネントユニットは、図３Ｂに示す論理手順に従って基地局90の受信機により実現されてもよく、それにより、ユーザ装置により送信されるSRS及びプリコーディングされた信号のような様々な信号は、無線空間内でユーザ装置から受信されてもよい。
【０１０２】
ユーザ装置80と基地局90との間の通信を実現するために、ユーザ装置80及び基地局90のそれぞれは、少なくとも１つの物理アンテナを含んでもよい。ユーザ装置80内の物理アンテナの数は、基地局90内の物理アンテナの数と同じでもよく、或いは異なってもよい。具体的なアンテナ構成については、既存の3GPPプロトコルを参照する。本発明の実施例において提供されるユーザ装置80及び基地局90によれば、UEは、SRSに対してプリコーディングを実行することによりプリコーディングされた信号を生成し、プリコーディングされた信号を基地局に送信する。このように、無線空間内でのプリコーディングされたSRSのビームは、基地局にできるだけ正確に向けられてもよく、それにより、基地局がSRSを正確に受信することがより容易になる。
【０１０３】
当業者は、本発明の実施例が方法、システム又はコンピュータプログラムプロダクトとして提供されてもよいことを理解すべきである。したがって、本発明は、ハードウェアのみの実施例、ソフトウェアのみの実施例、又はソフトウェアとハードウェアとの組み合わせを有する実施例の形式を使用してもよい。さらに、本発明は、コンピュータ使用可能プログラムコードを含む１つ以上のコンピュータ使用可能記憶媒体（ディスクメモリ、CD-ROM、光メモリ等を含むが、これらに限定されない）上に実現されたコンピュータプログラムプロダクトの形式を使用してもよい。
【０１０４】
本発明について、本発明の実施例による方法、装置（システム）及びコンピュータプログラムプロダクトのフローチャート及び／又はブロック図を参照して説明した。コンピュータプログラム命令は、フローチャート及び／又はブロック図内の各プロセス及び／又は各ブロックと、フローチャート及び／又はブロック図内のプロセス及び／又はブロックの組み合わせとを実現するために使用されてもよいことが理解されるべきである。これらのコンピュータプログラム命令は、汎用コンピュータ、専用コンピュータ、埋め込み式コンピュータ又は機械を生成するための他のプログラム可能データ処理デバイスのプロセッサのために提供されてもよく、それにより、コンピュータ又は他のプログラム可能データ処理デバイスのプロセッサにより実行される命令は、フローチャート内の１つ以上のプロセス及び／又はブロック図内の１つ以上のブロックにおける特定の機能を実現するための装置を生成する。
【０１０５】
これらのコンピュータプログラム命令は、コンピュータ又は他のプログラム可能データ処理デバイスに対して特定の方式で動作するように命令できるコンピュータ読み取り可能メモリに記憶されてもよく、それにより、コンピュータ読み取り可能メモリに記憶された命令は、命令装置を含む産物を生成する。命令装置は、フローチャート内の１つ以上のプロセス及び／又はブロック図内の１つ以上のブロックにおける特定の機能を実現する。
【０１０６】
これらのコンピュータプログラム命令は、コンピュータ又は他のプログラム可能データ処理デバイスにロードされてもよく、それにより、一連の動作及びステップがコンピュータ又は他のプログラム可能デバイス上で実行され、それにより、コンピュータにより実現される処理を生成する。したがって、コンピュータ又は他のプログラム可能デバイス上で実行される命令は、フローチャート内の１つ以上のプロセス及び／又はブロック図内の１つ以上のブロックにおける特定の機能を実現するためのステップを提供する。
【０１０７】
本発明のいくつかの好ましい実施例について説明したが、当業者は、基本的な発明の概念を習得すると、これらの実施例に対して変更及び変形を行うことができる。したがって、以下の特許請求の範囲は、好ましい実施例と、本発明の範囲内に入る全ての変更及び変形とをカバーするように解釈されることを意図する。
【０１０８】
明らかに、当業者は、本発明の実施例の真意及び範囲を逸脱することなく、本発明に様々な変更及び変形を行うことができる。本発明は、以下の特許請求の範囲及びその均等技術により規定される保護の範囲内に入るという条件で、これらの変更及び変形をカバーすることを意図する。
【図１】
2019513327.tif 000003
【図２】
2019513327.tif 000004
【図３Ａ】
2019513327.tif 000005
【図３Ｂ】
2019513327.tif 000006
【図４】
2019513327.tif 000007
【図５】
2019513327.tif 000008
【図６】
2019513327.tif 000009
【図７】
2019513327.tif 000010
【図８】
2019513327.tif 000011
【図９】
2019513327.tif 000012
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
信号伝送方法であって、
ユーザ装置により、サウンディング参照信号（SRS）のプリコーディング情報を決定するステップと、
前記ユーザ装置により、プリコーディングされた信号を生成するために、前記プリコーディング情報に基づいて前記SRSに対してプリコーディングを実行するステップと、
前記ユーザ装置により、前記プリコーディングされた信号を前記ユーザ装置にサービス提供する基地局に送信するステップと
を含む方法。
【請求項２】
前記ユーザ装置により、前記SRSのプリコーディング情報を決定するステップは、
前記ユーザ装置により、前記基地局により送信された第１の情報を受信するステップであり、前記第１の情報は、前記ユーザ装置により前記プリコーディング情報を決定するために使用される、ステップと、
前記ユーザ装置により、前記第１の情報に基づいて前記プリコーディング情報を決定するステップと
を含む、請求項１に記載の方法。
【請求項３】
前記第１の情報は、前記ユーザ装置が前記SRSの前記プリコーディング情報を決定するのをトリガーするための情報である、請求項２に記載の方法。
【請求項４】
前記ユーザ装置により、前記第１の情報に基づいて前記SRSの前記プリコーディング情報を決定するステップは、
前記ユーザ装置により、前記ユーザ装置が時分割双方向モードを使用する無線通信システムにおいて前記SRSの前記プリコーディング情報を決定するのをトリガーされたとき、前記基地局からの下りリンク参照信号に基づいて前記SRSの前記プリコーディング情報を決定するステップを含む、請求項３に記載の方法。
【請求項５】
前記下りリンク参照信号は、チャネル状態情報参照信号（CSI-RS）である、請求項４に記載の方法。
【請求項６】
前記ユーザ装置により、前記基地局により送信された第２の情報を受信するステップであり、前記第２の情報は、前記プリコーディングされた信号の送信時間を示す、ステップを更に含む、請求項１乃至５のうちいずれか１項に記載の方法。
【請求項７】
前記ユーザ装置により、前記プリコーディングされた信号の前記送信時間以外の時間に、前記SRSを前記基地局に送信するステップであり、前記SRSは、上りリンクチャネル情報を決定するために使用される、ステップを更に含む、請求項６に記載の方法。
【請求項８】
信号伝送方法であって、
基地局により、第１の情報を前記基地局によりサービス提供されるユーザ装置に送信するステップであり、前記第１の情報は、サウンディング参照信号（SRS）のプリコーディング情報を決定するために使用される、ステップと、
前記基地局により、前記ユーザ装置からプリコーディングされた信号を受信するステップであり、前記プリコーディングされた信号は、前記プリコーディング情報を使用して前記SRSに対してプリコーディングすることにより生成される、ステップと
を含む方法。
【請求項９】
前記第１の情報は、前記ユーザ装置が前記SRSの前記プリコーディング情報を決定するのをトリガーするための情報である、請求項８に記載の方法。
【請求項１０】
前記基地局により、時分割双方向モードを使用する無線通信システムにおいて下りリンク参照信号を送信するステップであり、前記下りリンク参照信号は、前記SRSの前記プリコーディング情報を決定するために使用される、ステップを更に含む、請求項８に記載の方法。
【請求項１１】
前記下りリンク参照信号は、チャネル状態情報参照信号（CSI-RS）である、請求項１０に記載の方法。
【請求項１２】
前記基地局により、第２の情報を前記ユーザ装置に送信するステップであり、前記第２の情報は、前記プリコーディングされた信号の送信時間を示す、ステップを更に含む、請求項８乃至１１のうちいずれか１項に記載の方法。
【請求項１３】
前記基地局により、前記プリコーディングされた信号の前記送信時間以外の時間に、前記ユーザ装置から前記SRSを受信するステップと、
前記基地局により、前記SRSに基づいて上りリンクチャネル情報を決定するステップと
を更に含む、請求項１２に記載の方法。
【請求項１４】
プロセッサと、送信機とを含むユーザ装置であって、
前記プロセッサは、サウンディング参照信号（SRS）のプリコーディング情報を決定し、プリコーディングされた信号を生成するために、前記プリコーディング情報に基づいて前記サウンディング参照信号に対してプリコーディングを実行するように構成され、
前記送信機は、前記プリコーディングされた信号を前記ユーザ装置にサービス提供する基地局に送信するように構成される、ユーザ装置。
【請求項１５】
前記基地局により送信された第１の情報を受信するように構成された受信機であり、前記第１の情報は、前記プロセッサにより前記プリコーディング情報を決定するために使用される、受信機を更に含む、請求項１４に記載のユーザ装置。
【請求項１６】
前記第１の情報は、前記ユーザ装置が前記サウンディング参照信号の前記プリコーディング情報を決定するのをトリガーするための情報である、請求項１５に記載のユーザ装置。
【請求項１７】
前記プロセッサは、前記ユーザ装置が時分割双方向モードを使用する無線通信システムにおいて前記SRSの前記プリコーディング情報を決定するのをトリガーされたとき、前記基地局からの下りリンク参照信号に基づいて前記SRSの前記プリコーディング情報を決定するように構成される、請求項１６に記載のユーザ装置。
【請求項１８】
前記下りリンク参照信号は、チャネル状態情報参照信号（CSI-RS）である、請求項１７に記載のユーザ装置。
【請求項１９】
前記受信機は、前記基地局から第２の情報を受信するように更に構成され、前記第２の情報は、前記プリコーディングされた信号の送信時間を示す、請求項１４乃至１８のうちいずれか１項に記載のユーザ装置。
【請求項２０】
前記送信機は、前記プリコーディングされた信号の前記送信時間以外の時間に、前記SRSを前記基地局に送信するように更に構成され、前記SRSは、前記基地局により上りリンクチャネル情報を決定するために使用される、請求項１９に記載のユーザ装置。
【請求項２１】
送信機と、受信機とを含む基地局であって、
前記送信機は、第１の情報を前記基地局によりサービス提供されるユーザ装置に送信するように構成され、前記第１の情報は、前記ユーザ装置によりサウンディング参照信号（SRS）のプリコーディング情報を決定するために使用され、
前記受信機は、前記ユーザ装置からプリコーディングされた信号を受信するように構成され、前記プリコーディングされた信号は、前記プリコーディング情報を使用して前記SRSに対してプリコーディングすることにより生成される、基地局。
【請求項２２】
前記第１の情報は、前記ユーザ装置が前記SRSの前記プリコーディング情報を決定するのをトリガーするための情報である、請求項２１に記載の基地局。
【請求項２３】
前記送信機は、時分割双方向モードを使用する無線通信システムにおいて下りリンク参照信号を送信するように更に構成され、前記下りリンク参照信号は、前記SRSの前記プリコーディング情報を決定するために使用される、請求項２２に記載の基地局。
【請求項２４】
前記下りリンク参照信号は、チャネル状態情報参照信号（CSI-RS）である、請求項２３に記載の基地局。
【請求項２５】
前記送信機は、第２の情報を前記ユーザ装置に送信するように更に構成され、前記第２の情報は、前記プリコーディングされた信号の送信時間を示す、請求項２１乃至２４のうちいずれか１項に記載の基地局。
【請求項２６】
前記受信機は、前記プリコーディングされた信号の前記送信時間以外の時間に、前記ユーザ装置から前記SRSを受信するように更に構成され、前記SRSは、前記基地局により上りリンクチャネル情報を決定するために使用される、請求項２５に記載の基地局。
【請求項２７】
コンピュータに請求項１乃至７のうちいずれか１項に記載の方法を実行させるプログラムを記録したコンピュータ読み取り可能記憶媒体。
【請求項２８】
コンピュータに請求項８乃至１３のうちいずれか１項に記載の方法を実行させるプログラムを記録したコンピュータ読み取り可能記憶媒体。
【手続補正２】
【補正対象書類名】明細書
【補正対象項目名】０００２
【補正方法】変更
【補正の内容】
【０００２】
ロングタームエボリューション（long  term  evolution,  LTE）システムでは、基地局からユーザ装置（user  equipment,  UE）へのリンクは下りリンクチャネルであり、スペクトル効率及びシステム容量を改善するために、直交周波数分割多元接続（orthogonal  frequency  division  multiple  access,  OFDMA）技術が使用される。ユーザ装置から基地局へのリンクは上りリンクチャネルであり、LTEシステムではシングルキャリア周波数分割多元接続（single-carrier  frequency  division  multiple  access,  SC-FDMA）技術が使用され、それにより、ピーク対平均電力比（peak  average  proportion  rate,  PAPR）が比較的小さく、ユーザ装置の実現における障害を低減する。
【手続補正３】
【補正対象書類名】明細書
【補正対象項目名】００２１
【補正方法】変更
【補正の内容】
【００２１】
第３の態様から第３の態様の第４の可能な実現方式のうちいずれか１つを参照して、第３の態様の第５の可能な実現方式では、基地局が第１の情報をユーザ装置に送信する前に、方法は、基地局により、ユーザ装置により送信された下りリンクチャネル品質情報を受信し、下りリンクチャネル品質情報に基づいて、ユーザ装置がサウンディング参照信号に対してプリコーディングを実行すると決定するステップを更に含む。
【手続補正４】
【補正対象書類名】明細書
【補正対象項目名】００４５
【補正方法】変更
【補正の内容】
【００４５】
例えば、ユーザ装置がSRSに対してプリコーディングを実行する前に、基地局は、ユーザ装置により送信されたSRSを受信し、SRSに基づいて上りリンクチャネルを測定してもよい。基地局は、プリコーディングがSRSに対して実行される前にUEにより送信されたSRSを正確に受信できなくてもよい。この問題を解決するために、UEは、閾値より高い送信電力でSRS（すなわち、プリコーディングが実行される前のSRS）を送信してもよく、或いは予め設定された時間長内で、基地局は、（正確に受信されていても受信されていなくても）複数の受信したSRS信号をパラメータサンプルとして使用し、パラメータ推定アルゴリズムを使用することにより取得されたSRSを、正確に受信したSRSとして使用し、このSRSを使用することにより、上りリンクチャネルの測定結果を決定し、それにより、上りリンクチャネル情報を決定する。一般的に使用されるパラメータ推定アルゴリズムは、最尤推定（maximum  likelihood  estimation,  MLE）、最小二乗推定（least  square  estimation,  LSE）、モーメント推定（moment  estimation,  ME）等を含む。基地局によりSRSを受信する効率を改善するために、SRSの送信時間及びプリコーディングされた信号（プリコーディングが実行された後のSRS）の送信時間は、基地局とUEとの間で協調されてもよい点に留意すべきである。例えば、UEは、SRSの送信時間を決定し、送信時間を基地局に通知する。代替として、基地局は、SRSの送信時間を決定し、送信時間をUEに通知する。したがって、本発明の実施例において提供される信号伝送方法は、UEにより、プリコーディングされた信号の送信時間を決定し、プリコーディングされた信号の送信時間を基地局に通知することを更に含んでもよい。代替として、プリコーディングされた信号の送信時間は基地局により決定されてもよく、その場合、第２の情報は、基地局によりUEに送信され、第２の情報は、プリコーディングされた信号の送信時間を示す。プリコーディングされた信号の送信時間は周期的又は非周期的でもよく、基地局により設定されてもよく或いはUEにより決定されてもよい点に留意すべきである。対応して、UEは、プリコーディングされた信号の送信時間以外のいずれかの時間に、SRSを基地局に送信してもよい。LTEシステムでは、UEにより送信されるSRSは、サブフレームの最後のOFDMシンボルに位置してもよい。サービスデータを運ぶための物理上りリンク共有チャネル（physical  uplink  shared  channel,  PUSCH）又は制御シグナリングを運ぶための物理上りリンク制御チャネル（physical  uplink  control  channel,  PUCCH）は、サブフレームにおいて更に伝送され、サブフレーム内のPUSCH及びPUCCHの位置のいずれもSRSの位置と重複しない。
【手続補正５】
【補正対象書類名】明細書
【補正対象項目名】００８３
【補正方法】変更
【補正の内容】
【００８３】
図５から図７に示す実現方式では、UEがSRSのプリコーディング情報を使用することによりSRSに対してプリコーディングを実行する前に、基地局は、UEによりSRSを生成するために使用される一定振幅ゼロ自己相関（constant  amplitude  zero  auto  correlation,  CAZAC）系列のような数学系列を更に示してもよい。UEがSRSのプリコーディング情報を使用することによりSRSに対してプリコーディングを実行する前に、基地局は、UEに対して、周辺基地局によりサービス提供される他のUEにより使用されるデータ系列のものと同じ周波数を有するデータ系列を使用するように更に命令してもよい。代替として、基地局は、UEに対して、協調マルチポイント（coordinated  multi-point,  CoMP）における仮想セル識別情報を使用することによりSRSに対してスクランブリングを実行するように命令する。このように、基地局と周辺基地局との双方は、UEにより送信されたプリコーディングされた信号からSRSを取得でき、それにより、上りリンクチャネル品質を更に決定する。さらに、下りリンクチャネル品質は、TDDモードにおいて更に決定されてもよい。基地局及び周辺基地局は、X2インタフェースを使用することにより、基地局及び周辺基地局によりそれぞれ取得されたSRSを交換してもよく、それにより、下りリンク協調スケジューリング若しくは協調ビームフォーミング（coordinated  scheduling/beamforming,  CS/CB）又はジョイント伝送（joint  transmission,  JT）を実行する。CS/CBは、CoMPに参加する基地局（前述の基地局及び周辺基地局）がUEに対してリソーススケジューリング又はビームフォーミングを実行するために協調することを示す。具体的には、基地局及び周辺基地局は、リソーススケジューリング情報又はSRSのプリコーディング情報を交換する。PDCCH及びPDSCHは、基地局のサービングセルを使用することにより依然としてUEに送信される。JTは、UEがセルの端に位置するとき、基地局のサービングセル及び周辺基地局のセルが同じ時間周波数リソースにおいて同じサービスデータをUEに送信し、それにより、UEがセルの端に位置するときに信号が強められることを示す。
【手続補正６】
【補正対象書類名】明細書
【補正対象項目名】００８４
【補正方法】変更
【補正の内容】
【００８４】
図５から図７に示す実現方式では、基地局とUEとの間でSRSのプリコーディング情報を決定することは詳細に記載されていない。詳細については、図２に示す実施例の210を参照する。
【手続補正７】
【補正対象書類名】明細書
【補正対象項目名】０１００
【補正方法】変更
【補正の内容】
【０１００】
任意選択で、受信機920は、送信機が第１の情報をユーザ装置に送信する前に、ユーザ装置により送信された下りリンクチャネル品質情報を受信するように更に構成され、下りリンクチャネル品質情報は、ユーザ装置がサウンディング参照信号に対してプリコーディングを実行すると決定するために使用される。
【手続補正８】
【補正対象書類名】図面
【補正対象項目名】図２
【補正方法】変更
【補正の内容】
【図２】
2019513327.tif 000013
【国際調査報告】
2019513327.tif 000014
2019513327.tif 000015
2019513327.tif 000016
2019513327.tif 000017